(57)【特許請求の範囲】
【請求項１】
コンピュータモードにより、データサービスを処理するコンピュータモードの処理モジュールと、
携帯電話モードにより、音声サービスを処理するまたは前記コンピュータモードの処理モジュールのモデムとしてデータサービスのネットワークへアクセスする携帯電話モードの処理モジュールと、
前記コンピュータモードの処理モジュールと前記携帯電話モードの処理モジュールとをそれぞれ接続し、前記コンピュータモードの処理モジュールがデータサービスを処理する時または前記携帯電話モードの処理モジュールが音声サービスを処理する時に共有されたキーデータを記憶する共有メモリモジュールと、
前記コンピュータモードの処理モジュールと、前記携帯電話モードの処理モジュールと、前記共有メモリモジュールとをそれぞれ接続し、ユーザの選択に応答し、且つ、前記コンピュータモードの処理モジュールと前記携帯電話モードの処理モジュールとに対応させる共有処理モジュールと、
前記コンピュータモードの処理モジュールと、前記携帯電話モードの処理モジュールと、前記共有処理モジュールまたは前記共有メモリモジュールとに動作電源を供給する電源モジュールとを備え、
前記コンピュータモードの処理モジュールは、コンピュータ操作システムと、コンピュータシステムメモリと、コンピュータプロセッサと、コンピュータの内蔵メモリとを備え、前記携帯電話モードの処理モジュールは、携帯電話操作システムと、携帯電話システムメモリと、携帯電話プロセッサとを備える、コンピュータと携帯電話とを統合したハンドヘルド装置。
【請求項２】
前記共有メモリモジュールは、ソリッドステートドライブ(SSD)を採用することを特徴とする請求項１に記載のハンドヘルド装置。
【請求項３】
前記共有キーデータは、データサービス処理と音声サービス処理とに必要な通信情報と、マルチメディアファイル情報と、セキュリティ証明書情報とを含むことを特徴とする請求項1に記載のハンドヘルド装置。
【請求項４】
前記コンピュータの内蔵メモリは、HDDハードディスクドライブまたはSSDハードディスクドライブまたはHHDハイブリッドハードディスクドライブを採用することを特徴とする請求項１に記載のハンドヘルド装置。
【請求項５】
前記コンピュータモードの処理モジュールにおけるデータサービス処理、または前記携帯電話モードの処理モジュールにおける音声サービス処理に、表示インタフェースを提供する表示モジュールと、
前記コンピュータモードの処理モジュールにおけるデータサービス処理、または前記携帯電話モードの処理モジュールにおける音声サービス処理に、マンマシンインタラクションの入力処理を提供する入力モジュールとを有し、
前記表示モジュールと前記入力モジュールとが、いずれも前記共有処理モジュールを接続することを特徴とする請求項1に記載のハンドヘルド装置。
【請求項６】
前記表示モジュールが、ツインパネルまたはマルチパネルディスプレーであり、前記入力モジュールが、物理的なQWERTYキーボードとテンキーまたはタッチパネルまたは電磁パネルにおける仮想QWERTYキーボードとテンキーとを有し、
前記表示モジュールが単一パネルであり、前記共有処理モジュールには、音声とデータとのサービスを切り替えて交互表示する高速切替えキーを設けることを特徴とする請求項５に記載のハンドヘルド装置。
【請求項７】
ユーザに映像情報を入力する映像モジュールと、
無線ネットワークへアクセスする無線モジュールと、
各種の物理装置へのアクセスにインタフェースを提供するインタフェースモジュールと、
音声情報の入出力に用いられる音声モジュールとを有し、
前記映像モジュールと、前記無線モジュールと、前記インタフェースモジュールまたは前記音声モジュールとが、いずれも共有処理モジュールを接続することを特徴とする請求項１に記載のハンドヘルド装置。
【請求項８】
コンピュータと携帯電話との使用を統合する実現方法において、
コンピュータモードによりデータサービスを処理する前記コンピュータモードの処理モジュールと、携帯電話モードにより音声サービスを処理するまたは前記コンピュータモードの処理モジュールのモデムとしてデータサービスネットワークへアクセスする前記携帯電話モードの処理モジュールとを採用するとともに、同一の電源モジュールが前記コンピュータモードの処理モジュールと前記携帯電話モードの処理モジュールとに動作電源を供給するステップと、
前記コンピュータモードの処理モジュールがデータサービスを処理するまたは前記携帯電話モードの処理モジュールが音声サービスを処理する時に共有されたキーデータが、同一の共有メモリモジュールに記憶されるステップと、
同一の前記共有処理モジュールがユーザの選択に応答し、且つ、前記コンピュータモードの処理モジュールと前記携帯電話モードの処理モジュールとに対応させるステップとを備え、
前記コンピュータモードの処理モジュールは、コンピュータ操作システムと、コンピュータシステムメモリと、コンピュータプロセッサと、コンピュータの内蔵メモリとを備え、前記携帯電話モードの処理モジュールは、携帯電話操作システムと、携帯電話システムメモリと、携帯電話プロセッサとを備える、ことを特徴とするコンピュータと携帯電話との使用を統合する実現方法。
【請求項９】
前記共有メモリモジュールが、ソリッドステートドライブSSDを採用し、共有キーデータが、データサービス処理と音声サービス処理とに必要な通信情報と、マルチメディアファイル情報と、セキュリティ証明書情報とを含み、表示モジュールにより、前記コンピュータモードの処理モジュールにおけるデータサービス処理、または前記携帯電話モードの処理モジュールにおける音声サービス処理に表示インタフェースを提供し、入力モジュールにより、前記コンピュータモードの処理モジュールにおけるデータサービス処理、または前記携帯電話モードの処理モジュールにおける音声サービス処理に、マンマシンインタラクションの入力処理を提供し、前記表示モジュールがツインパネルまたはマルチパネルディスプレーであり、前記入力モジュールが、物理的なQWERTYキーボードとテンキーまたはタッチパネルまたは電磁パネルにおけるQWERTYキーボードとテンキーとを有し、または、前記表示モジュールが単一パネルであり、前記共有処理モジュールには、音声とデータのサービスを切り替えて交互表示する高速切替えキーを設けることを特徴とする請求項８に記載のコンピュータと携帯電話との使用を統合する実現方法。
【発明の詳細な説明】
【技術分野】
【０００１】
本発明はコンピュータ領域、通信技術領域、ネットワーク技術領域に関し、特にコンピュータと携帯電話とを統合したハンドヘルド装置およびその実現方法に関する。
【背景技術】
【０００２】
通信技術の発展に伴い、電機通信サービスの需要は、固定とモバイルの融合と、音声とインターネットアプリケーションを統合した綜合情報サービスに変換し、無線ブロードバンドネットワーク端末で統合された音声/データ通信が巨大な価値を創造する。
【０００３】
現代人にとって仕事場の移動がより多くなり、またその需要もより明らかになっている。人々は、地理的位置の制限を受けなく、常に出入かつ停留する場所、例えば、空港、ホテル、市街区の広場、喫茶店、地下鉄駅、郊外公園で随時随所に音声通信とインターネットへのアクセスを望んでいる。
【０００４】
現在、上記の目的を実現するために、主に２つの方案を採用して、１つ目は、ポケットパソコン（PDA）携帯電話またはスマートフォンにより実現され、２つ目は、携帯電話とノート型パソコンとを相互に結合させる方法を採用する。
【０００５】
PDA携帯電話またはスマートフォンは、埋め込み式システムにより携帯電話上にPDA機能を統合させ、担当者、任務、日程、メモなどの個人情報管理（PIM）を実現し、かつ、狭帯域ネットワークの状態で、インターネットでの閲覧と、メールの送受信などの文字と小イメージの処理とを主な内容とするインターネットアプリケーションを実現することができる。しかしPDA携帯電話のインフラストラクチャは、汎用コンピュータのX86アーキテクチャと異なり、ハードウェアスペックが低く、ソフトウェアがファームウェアであり、標準が不統一で、互換性が弱く、拡張性が低く、操作複雑などの欠点を持ち、ブロードバンドネットワークで応用すると、上記の構造欠点によりダウンロード速度とネットワーク応用に対する主なハードウェア障害を招く。
【０００６】
3G/3.5G通信技術を実現した国では、多くの人々は普通のノート型パソコンに携帯電話を加えるモバイルソリューションを採用する。つまり、携帯電話により音声通信とPIM個人情報管理とを実現し、ノート型パソコンによりブロードバンドネットワークとモバイルコンピューティングを実現する。該方案の主な欠点は、重くて持ち運び不便で、２セットの電源システムが必要で、購入コストが高く、使用コストが高く、音声とデータとを一元管理することができなく、常に同期させるのが不便である。
【発明の概要】
【発明が解決しようとする課題】
【０００７】
本発明が解決しようとする技術的課題は、コンピュータと携帯電話とを統合したハンドヘルド装置およびその実現方法を提供することであり、ノート型パソコンと携帯電話とを統合してポケットに入れられるハンドヘルド端末装置により、１つの装置において音声サービスとデータサービスとを全面的且つ高速に処理し、ユーザにとって持ち運びや使用を容易に行え、個人特性とする携帯電話にマスストレージと高速演算を提供するとともに、汎用型コンピュータに全般音声機能と随時随所にネットワークへのアクセスとを提供し、最も重要なのは音声とデータとを一元管理するモバイルプラットフォームを実現し、モバイルブロードバンドインターネット環境のデマンドに満たす。
【課題を解決するための手段】
【０００８】
前記課題を解決するため、本発明が提供するハンドヘルド装置は、
コンピュータモードによりデータサービスを処理するコンピュータモードの処理モジュールと、
【０００９】
携帯電話モードにより音声サービスを処理するまたはコンピュータモードの処理モジュールのモデムとしてデータサービスのネットワークへアクセスする携帯電話モードの処理モジュールと、
【００１０】
前記コンピュータモードの処理モジュールと前記携帯電話モードの処理モジュールとをそれぞれ接続し、コンピュータモードの処理モジュールがデータサービスを処理する時、または携帯電話モードの処理モジュールが音声サービスを処理する時に共有されたキーデータを記憶する共有メモリモジュールと、
【００１１】
前記コンピュータモードの処理モジュールと、前記携帯電話モードの処理モジュールと、前記共有メモリモジュールとをそれぞれ接続し、ユーザの選択に応答し、且つ、コンピュータモードの処理モジュールと携帯電話モードの処理モジュールとに対応させる共有処理モジュールと、
【００１２】
前記コンピュータモードの処理モジュールと、前記携帯電話モードの処理モジュールと、前記共有処理モジュールまたは前記共有メモリモジュールとに動作電源を供給する電源モジュールとを備える。
したがって、コンピュータと携帯電話との使用を統合する実現方法において、
【００１３】
コンピュータモードによりデータサービスを処理するコンピュータモードの処理モジュールと、携帯電話モードにより音声サービスを処理するまたはコンピュータモードの処理モジュールのモデムとしてデータサービスのネットワークへアクセスする携帯電話モードの処理モジュールとを採用するとともに、同一の電源モジュールが前記コンピュータモードの処理モジュールと前記携帯電話モードの処理モジュールとに動作電源を供給するステップと、
【００１４】
コンピュータモードの処理モジュールがデータサービスを処理するまたは携帯電話モードの処理モジュールが音声サービスを処理する時に共有されたキーデータが、同一の共有メモリモジュールに記憶されるステップと、
【００１５】
同一の共有処理モジュールがユーザの選択に応答し、且つ、コンピュータモードの処理モジュールと携帯電話モードの処理モジュールとに対応させるステップとを備える。
オプションとして、前記共有メモリモジュールは、ソリッドステートドライブ(SSD)を採用し、
【００１６】
前記共有キーデータは、データサービスの処理と音声サービスの処理とに必要な通信情報と、マルチメディアファイル情報と、セキュリティ証明書情報とを含み、また、表示モジュールにより、前記コンピュータモードの処理モジュールにおけるデータサービスの処理、または前記携帯電話モードの処理モジュールにおける音声サービスの処理に、表示インタフェースを提供し、入力モジュールにより、前記コンピュータモードの処理モジュールにおけるデータサービスの処理、または前記携帯電話モードの処理モジュールにおける音声サービスの処理に、マンマシンインタラクションの入力処理を提供し、
【００１７】
前記表示モジュールがツインパネルまたはマルチパネルディスプレーであり、前記入力モジュールが、物理的なQWERTYキーボードとテンキーまたはタッチパネルまたは電磁パネルにおける仮想QWERTYキーボードとテンキーとを有し、または、前記表示モジュールが単一パネルであり、前記共有処理モジュールには、音声とデータのサービスを切り替えて交互表示する高速切替えキーを設ける。
従来の技術と比べ、本発明は以下の効果がある。
【００１８】
本発明のハンドヘルド装置は、データサービスを処理するコンピュータモードの処理モジュールと、音声サービスを処理する携帯電話モードの処理モジュールとを備え、音声サービスとデータサービスとを同時に管理することを実現し、持ち運びやすく、ユーザにモバイルオフィスや通信を容易に行える。
【００１９】
本発明は、共有メモリモジュールによりユーザの共有キーデータが記憶され、データストレージのセキュリティを向上させるとともに、携帯電話装置とコンピュータ装置との間のデータ同期を回避した。
【００２０】
また、１つの電源モジュールにより、前記コンピュータモードの処理モジュールと携帯電話モードの処理モジュールとに電気を同時に供給し、コストの削減を実現した。
【図面の簡単な説明】
【００２１】
【図１】図１は本発明のハンドヘルド装置におけるコンピュータと携帯電話との統合を実現したコアモジュールの構成図である。
【図２】図２は本発明のハンドヘルド装置におけるコンピュータと携帯電話との統合を実現した最適な実施形態を示す図である。
【発明を実施するための形態】
【００２２】
以下に添付図面を参照しながら、本発明について詳細に説明する。
図１は、本発明がコンピュータと携帯電話との統合を実現した基本構成を示す図である。
【００２３】
本実施形態は、コンピュータと携帯電話との統合を実現したハンドヘルド装置のコアモジュールであり、充電式バッテリーにより構成される電源モジュール１１がコンピュータモードの処理モジュール１２と携帯電話モードの処理モジュール１３とに電気を同時に供給し、つまり、コンピュータと携帯電話との２つのシステムを使用することによりそれぞれデータサービスと音声サービスとの処理を完成させ、同一の装置において音声サービスとデータサービスとの同時処理を実現し、前記充電式バッテリーが3.7V/6000mAのリチウム電池でもよく、また、コンピュータモードの処理モジュール１２と、携帯電話モードの処理モジュール１３とをそれぞれ接続する共有メモリモジュール１４により、コンピュータモードの処理モジュール１２がデータサービスを処理するまたは携帯電話モードの処理モジュール１３が音声サービスを処理する時に共有されたキーデータが記憶され、ウイルス感染と人為的誤操作によりキーデータを損失する可能性を低減でき、異なる装置間のデータ同期を回避し、また、コンピュータモードの処理モジュール１２と、携帯電話モードの処理モジュール１３と、を接続する共有処理モジュール１５が、ユーザの選択に応答してコンピュータモードの処理モジュールと携帯電話モードの処理モジュールとに対応させ、具現化する時に、共有処理モジュール１５には、音声とデータのサービスを切り替えて交互表示する高速切替えキーを設ける。
【００２４】
本実施形態において、２Gでも３G/４Gネットワークでもハンドヘルド装置は、音声とデータとの同期処理を実現でき、例えば、オフィス、家、喫茶店、エアポート、ホテルなどの室内環境において、ネットワークカードを使用してADSL有線でインターネットに接続し、WiFi無線でインターネットに接続し、コンピュータモードの処理モジュール１２によりデータサービスを処理すると同時に、携帯電話モードの処理モジュール１３により普通電話の発受信ができ、音声とデータとの同期処理を実現する。
【００２５】
例えば、３G/４Gの場合では、単一搬送波において音声とデータのサービスを同時にサポートでき、そのため、室外環境において、携帯電話モードの処理モジュール１３をモバイルブロードバンドのアクセスネットワーク（無線ワイドエリアネットワーク：WWAN）のモデム（Modem）として、単一搬送波において携帯電話モードの処理モジュール１３が音声ストリームを処理すると同時に、コンピュータモードの処理モジュール１２がデータストリームを処理し、お互いが干渉しないように同時に進行する。電話を受信するときにデータのダウンロードまたはアップロードのためにプログラムを中断する必要がなく、リアルタイムのデータストリームを送信する時に、例えば、音声と映像の時に、ユーザデータグラムプロトコル（User DataGram Protocol:UDP）でデータを送信し、パケットを送信する時に、伝送制御プロトコル/インターネットプロトコル (TraNsmissioN CoNtrol Protocol/INterNet Protocol:TCP/IP)を使用する。ユーザはUDPパケットの使用に対する優先度を選択すると、無線通信プロトコルを変更することにより、より優れた音声通信を実現できる。また、ユーザは需要に応じてUDPストリームの優先順位を定義し、UDPストリームに十分な帯域幅を優先させ、UDPストリームがない場合で、そのほかのデータストリームがこの部分の帯域幅を使用できる。
本発明のハンドヘルド装置の具体的な動作方法は下記のようになる。
【００２６】
コンピュータモードによりデータサービスを処理するコンピュータモードの処理モジュールと、携帯電話モードにより音声サービスを処理するまたはコンピュータモードの処理モジュールのモデムとしてデータサービスネットワークへアクセスする携帯電話モードの処理モジュールとを採用するとともに、同一の電源モジュールが前記コンピュータモードの処理モジュールと前記携帯電話モードの処理モジュールとに動作電源を供給し、
【００２７】
コンピュータモードの処理モジュールがデータサービスを処理するまたは携帯電話モードの処理モジュールが音声サービスを処理する時に共有されたキーデータが、同一の共有メモリモジュールに記憶され、
同一の共有処理モジュールがユーザの選択に応答し、且つ、コンピュータモードの処理モジュールと携帯電話モードの処理モジュールとに対応させる。
以下に本発明のコンピュータモードの処理モジュール１２と携帯電話モードの処理モジュール１３について詳細に説明する。
【００２８】
コンピュータモードの処理モジュール１２であって、具現化する時に、前記コンピュータモードの処理モジュール１２は、コンピュータ操作システム（例えば、XP Tabletの使用）を有し、また、コンピュータシステムメモリ（例えば、RAM 1Gの使用）と、コンピュータプロセッサ（例えば、CPU 1.8Gの使用）と、内蔵メモリ（例えば、1.8インチハードディスクドライブHD 30G-120Gの使用）とも備え、前記内蔵メモリが、HDDハードディスクドライブまたはSSDハードディスクドライブまたはHHDハードディスクドライブを採用する。
【００２９】
携帯電話モードの処理モジュール１３であって、具現化する時に、前記携帯電話モードの処理モジュール１３は、携帯電話操作システム（例えば、WiNdows Mobileの使用）と、携帯電話プロセッサ（例えば、プロセッサMCU 400Mの使用）と、例えば、ROM 64MまたはRAM 64Mのようなメモリとを有する。
【００３０】
共有メモリモジュール１４はキー情報を記憶し、例えば、通信情報、マルチメディアファイル情報とセキュリティ証明書などのキーデータ、他に無関係なアプリケーションソフトウェアを保存しない。具現化する時に、ソリッドステートドライブ(SSD)を採用することは可能で、携帯電話モードで該SSDソリッドステートドライブがメモリカードに取り込まれ、コンピュータモードでFドライブにデフォルトされる。その読み出しと保存の形式は、携帯電話モードの処理モジュール１３とコンピュータモードの処理モジュール１２とにそれぞれ読み出され、且つ、それぞれ修正され、優先権を与え、コンピュータインターフェースで複雑な入力操作を行い、携帯電話インターフェースで簡単な入力操作を行うことが可能である。
以下に本実施形態におけるコンピュータモードの処理モジュール１２のコンピュータ内蔵メモリと共有メモリモジュール１４について比較説明を行う。
【００３１】
コンピュータ内蔵メモリには、HDDハードディスクドライブを採用することは可能で、該HDDハードディスクドライブが低コストストレージで、その容量および速度が前例のない速度で向上しており、しかしながら、現時点では、従来のHDDハードディスクドライブのインフラストラクチャには根本的な変化がなく、依然として機械式の物理構造をベースにした設計で、ディスク型の伝統的なハードディスクドライブであり、データがディスクセクタに格納される。そこで、動作状態で物理的振動が発生すると、貴重なデータが完全に喪失する可能性があり、更に、ノート型パソコンを移動する時に、例えば、ノート型パソコンを持ち運びながら街を歩き、満員バスに乗る時に、普通のバンプでもノート型パソコンのハードディスクドライブにおけるデータセキュリティに影響を及ぼす可能性がある。
【００３２】
共有メモリモジュール１４は、SSDソリッドステートドライブを採用することは可能で、該SSDソリッドステートドライブは、FLASHチップを記憶媒体として採用し、高速移動さらに反転傾斜に伴う状況でも通常の使用に影響を及ぼさなく、更に、ノート型パソコンが落下するまたは硬い物と衝突することにより、データが喪失する可能性を最小限に抑え、より優れた防震効果を提供した。データ保存時間がより長くなり、ファイルの検索がより速くなり、システム電源消費量を削減し、長持ちで、防震かつ落下に強く、信頼性が高いという利点を備える。
【００３３】
前記HDDハードディスクドライブとSSDソリッドステートドライブとに対する分析に基ぎ、HDDハードディスクドライブの低コストとSSDソリッドステートドライブの比較的高コストとの特性に合わせ、本発明の実施形態には、移動環境でHDDを大容量ハードディスクドライブとして採用すると同時に、１G〜４GのSSDソリッドステートドライブを採用し、例えば、通信情報種類、マルチメディア情報種類とセキュリティ証明書種類の情報を記憶することにより、低コストのマスストレージを提供し、キーデータに対する安全かつ信頼性が高い保護を提供すると同時に、電力の消費を削減することで、モバイルオフィス環境に適応する。
【００３４】
前記セキュリティ証明書種類情報は、多くのユーザがインターネット銀行、インターネット証券会社、企業内認可、政府内認可などを使用する時に、セキュリティ証明書を必要とするネットワークアプリケーションに関する。
【００３５】
今後SSDソリッドステートドライブまたはHHDハイブリッドハードディスクドライブのコストが、現時点で従来のHDDハードディスクドライブの価格まで大幅に削減されるにもかかわらず、本発明の装置は同様に独立したSSDソリッドステートドライブを採用し、例えば、通信情報種類、マルチメディア情報種類とセキュリティ証明書種類のようなキーデータを記憶することにより、物理的空間からキーデータとそのほかのデータとを分離させ、同一のSSDソリッドステートドライブにおいてパーティション分割してキーデータを保存することより安全で信頼性が高く、ウイルス感染と人為的誤操作によりデータの損失を回避した。
【００３６】
また、本実施形態において、コンピュータと携帯電話とを統合したハンドルヘルド装置は、500Gくらいの重量で、約150mm x 80mm x 25mm(W x H x D)のノート型パソコンが好適に使用される。
図２は本発明のハンドヘルド装置におけるコンピュータと携帯電話との統合を実現した最適な実施形態を示す図である。
【００３７】
本実施形態のハンドヘルド装置は、電源モジュール１１と、コンピュータモードの処理モジュール１２と、携帯電話モードの処理モジュール１３と、共有メモリモジュール１４と、共有処理モジュール１５と、表示モジュール１６と、入力モジュール１７とを備える。
【００３８】
また、本実施形態において、共有処理モジュール１５と接続する表示モジュール１６は、コンピュータモードの処理モジュール１２および携帯電話モードの処理モジュール１３に共有の表示インタフェースを提供し、具現化する時に、該表示モジュール１６は、単一パネルでもよく、例えば、５インチのタッチパネルまたは電磁パネル（３〜７インチで、デフォルトが800 x 480で、1280 x 800LEDバックライトをサポートする）、ツインパネルまたはマルチパネルディスプレーでもよく、つまり、携帯電話モードの処理モジュール１３とコンピュータモードの処理モジュール１２とが異なるディスプレーを採用する。
【００３９】
入力モジュール１７は、携帯電話モードの処理モジュール１３およびコンピュータモードの処理モジュール１２にユーザからの情報を入力し、例えば、表示モジュール１６がツインパネルまたはマルチパネルディスプレーであると、携帯電話モードの処理モジュール１３とコンピュータモードの処理モジュール１２とがそれぞれ入力しやすくように、QWERTY配列の大型キーボードとテンキーの小型キーボードとを入力モジュールとする。
【００４０】
また、本実施形態のハンドヘルド装置は、例えば、
ユーザに映像（例えば、1.3Mカメラ）情報を入力する映像モジュール１８と、
無線ローカルエリアネットワーク（WLAN）、ブルートゥース、モバイル通信用グローバルシステム（Global System For Mobile CommuNicatioN，GSM(登録商標)）/符号分割多元接続（Code DivisioN MultIPleAccess，CDMA）、ワイヤレスワイドエリアネットワークWWAN（WCDMA，TD-SCDMA，CDMA EVDV，HSDPA，WiMAX）などの無線モジュール１９と、
各種の物理装置（例えば、USB，ネットワークカード、VGA、SD、GPS、3.5mmイヤホンとマイク、IEEE１３９４）へのアクセスに、インタフェースを提供するインタフェースモジュール２０と、
音声情報（例えば、内蔵2chスピーカと内蔵モノラルマイク）の入出力に用いられる音声モジュール２１と、
指紋認証方法により安全性の向上を図る安全モジュール２２と、
例えば、拡大と縮小のZOOM機能を有するスクリーンの自動回転機能とを備える。
【００４１】
本発明のハンドヘルド装置は、異なるネットワーク条件に応じて異なるネットワークへのアクセス方法を使用し、例えば、２Gの環境において、室内でブロードバンド接続を使った無料インターネット電話（VOIP）により音声サービスを実現し、室外で有料の音声通話により音声サービスを実現し、通話料金を最大限に削減し、３G/４Gブロードバンドでモバイルなインターネット環境において、室内室外どもブロードバンド接続を使った無料インターネット電話（VOIP）により国内と国際長距離および市内電話がかけられ、無料通話を全面的に実現できた。
【００４２】
本発明のハンドヘルド装置は、WLAN/３Gのデュアルモード端末として、WLANのサービスエリアでWLAN接続を優先的に接続し、このような方法で、ユーザが利用したサービスの料金がより安く、データサービスの帯域幅がより十分である。WLANのサービスエリアから離れると、端末は自動的に３Gネットワークに切り替え、WLANと３Gとの間の音声連続性を実現できる。実際はより良いサービスで、より低料金の通話サービスである。
【００４３】
オフィス間のコミュニケーション、複雑な多地点電話会議およびベアマシンシステムなど音声通話が必要とするあらゆる場所で、前記VOIPをほとんど利用できる。リアルタイム動作にもかかわらず、保存−転送の音声サービスにも利用でき、リアルタイムと保存−転送の２つのメソッドが、互換性を保ち、相互操作できるようにすべきである。
【００４４】
ハンドヘルド装置により情報伝送が行われる時に、仮想世界の電子メールボックスと現実世界の携帯電話番号とを個人認証コードとしてバインドすることによって、ユーザから発信したショットメッセージと電子メールには、電子メールボックスと携帯電話番号とを含む暗号化認証コードを格納しており、相手が同様の認証コードを返すとユーザが受信でき、同様の認証コードを返さないと、受信が拒否される。このようにして、スパムメールとスパムメッセージとの受信が減少し、インターネット銀行と、インターネット証券と、インターネット掲示板とブログとの個人認証マークまたは認証、ビジネス認証管理のパスワードとして、インターネット利用の信頼度を大幅に向上させ、電子ビジネスへの応用を推進する。同様に、インターネット銀行と、インターネット証券と、インターネット掲示板とブログとには、このよう認証コードを採用しており、復号によりユーザのメールアドレスと、IPアドレスと携帯電話番号とを調べ、仮想世界と現実世界でユーザのIDと位置情報を正確に取得することによって、サイバー犯罪とサイバー暴力を減少できる。
【００４５】
本発明は、IPマルチメディアサブシステム（IP Multimedia Subsystem，IMS）を中核的な技術とする次世代ネットワーク （NGN）をサポートし、リアルタイムまたは非リアルタイムの情報サービス、マルチメディア呼音声サービス、強化された呼管理、グループサービスなどを含み、且つ、異なる通信メディアを集合してリアルタイムにオンライン情報を共有し通信し、多くのユーザがリアルタイムに同一のデータファイルを処理することができ、コンシューマーゲームをはじめ、多数ユーザがオンライン参加するマルチメディア通信のオンラインエンターテイメントを実現する。
【００４６】
また、現代人にとって、様々な通信手段が用いられ、その通信手段は、普通音声をはじめ、VOIPインターネット電話とビデオ電話とを含み、更にショートメッセージと、マルチメディアメッセージと、電子メールと、随時通信できるチャットソフトウェアとも含む。本発明は、コンピュータモードの処理モジュールと携帯電話モードの処理モジュールを使用することにより、同一プラットフォームにおいて、異なるコミュニケーションツールを利用する大量の顧客を同時に問合せ、管理または追跡でき、顧客満足度と作業効率を大幅に上げられる。例えば、一部の顧客が電子メールによるコミュニケーションしか所望しないまたは利用できなく、一部の顧客が電話によるコミュニケーションしか所望しないまたは利用できなく、一部の顧客がＱＱのような随時通信ツールによるコミュニケーションしか所望しないまたは利用できなく、一部の顧客がショートメッセージによるコミュニケーションしか所望しないまたは利用できない。異なる装置において異なるツールで大量の顧客を追跡することは、大きな困難をもたらし、作業負担と作業ストレスを増加させ、例えば、電子メールで顧客に知らせても忘れてしまい、電話またはショートメッセージで同じ情報を繰り返し送信することで顧客の不満を招くが、本発明の装置を使用すると、同一プラットフォームにおいて、異なるコミュニケーションツールを利用する大量の顧客を同時に問合せ、管理または追跡でき、顧客満足度と作業効率を大幅に上げられる。異なるコミュニケーションツールの使用で顧客を繰り返して嫌がらせることを回避できるとともに、特に商業企業のユーザにとって、通信とデータとが２台異なる装置に分散され、全部同期できなくて全部の音声とデータとの一元管理による困難をもたらすことを回避できる。一体通信により、音声とデータアプリケーションとの統合を実現し、このように企業情報化をその内部管理およびサービスのプロセスに融合させる。
【００４７】
上述は本発明の最適な実施形態であり、ここで指摘するべきは、当業者の普通の技術要員にとって、本発明の原理から離れない前提で、更に若干の改善と修飾をすることが可能であるが、その改善と修飾も本発明の保護範囲に属する。
【図１】
0005409895.tif 000002
【図２】
0005409895.tif 000003